(57)【要約】【課題】携帯無線端末のヒンジ部の軸を構成する金属回転軸をアンテナとして動作させる構成において、金属回転軸の径を大きくすることなく等価的に径を大きくでき、軽量、低コストで広帯域なアンテナ装置及びこれを搭載した携帯無線端末を提供するものである。【解決手段】第１筐体１００３と、第２筐体１００４と、第１筐体１００３と第２筐体１００４とを回転可能に連結するヒンジ部１００１とを有する携帯無線端末１００であって、前記ヒンジ部１００１の回転中心１０２を構成する金属回転軸１００２と、金属回転軸１００２に給電を行う給電部と、金属回転軸１００２の前記回転中心１０２と略同一で、金属回転軸１００２より直径が大きい略円筒形状のリング導体１０１とを備え、リング導体１０１が金属回転軸１００２と接触または容量結合させた構成を有する。この構成により、軽量、低コストで設計自由度が高い広帯域なアンテナを実現することができる。【選択図】図１
2011019211.tif 000002
【特許請求の範囲】
【請求項１】
第１筐体と、
第２筐体と、
前記第１筐体と前記第２筐体とを回転可能に連結するヒンジ部とを有する携帯無線端末であって、
前記ヒンジ部に設けられ、前記ヒンジ部の回転中心を構成する金属回転軸と、前記金属回転軸の前記回転中心と略同一で、前記金属回転軸より直径が大きい略円筒形状のリング導体と、前記金属回転軸に給電を行う給電部とを備え、
前記金属回転軸は、互いに回動する略円筒形状または略円柱形状の第１部材と第２部材とが連結されて構成され、前記第１部材は前記第１筐体に、前記第２部材は前記第２筐体にそれぞれ機械的に固定され、
前記給電部は、前記第一筐体に配置された無線回路と、前記金属回転軸とを電気的に接続し、
前記リング導体は、前記第２筐体に機械的に固定され、前記金属回転軸と接触または容量結合される、アンテナ装置。
【請求項２】
前記リング導体は、略Ｃ形状の端面を有し、
前記第1筐体と前記第２筐体が閉じた状態における前記リング導体と前記第1筐体内の基板グランドパターンの間隔が、前記第1筐体と前記第２筐体が開いた状態における前記リング導体と前記第1筐体内の基板グランドパターンの間隔よりも大きくなるよう構成された請求項１記載のアンテナ装置。
【請求項３】
前記リング導体は、第１リング導体と第２リング導体とがトラップ回路を介して接続されて構成され、
第１リング導体は、前記金属回転軸と接触または容量結合させて構成される請求項１乃至請求項２記載のアンテナ装置。
【請求項４】
前記第１リング導体と前記第２リング導体とが機械的な構造でトラップ回路を構成することを特徴とした請求項３記載のアンテナ装置。
【請求項５】
請求項１〜４のいずれか１項に記載のアンテナ装置を搭載した携帯無線端末。
【発明の詳細な説明】
【技術分野】
【０００１】
本発明は、筐体を開閉可能に連結するヒンジ部を備えた携帯無線機に関し、詳しくは、このヒンジ部を含めた筐体におけるアンテナの配置構成に関するものである。
【背景技術】
【０００２】
携帯電話などの携帯無線端末は、電話機能や電子メール機能、インターネット等へのアクセス機能だけに留まらず、近距離無線通信機能、無線ＬＡＮ機能、ＧＰＳ機能、ＴＶ視聴機能、ＩＣカード決済機能などを備えるように、ますます多機能化が進んでおり、さらなる装置の小型化、高集積化が望まれている。このような多機能化に伴い、アンテナの数は増加傾向にあるのに対し、装置の小型化を図りつつ、良好なアンテナ特性を維持するためには、アンテナの配置に際して種々の工夫が必要となる。
【０００３】
また、携帯電話の飛躍的な増加に伴い、通信に使用される周波数不足が問題となっており、現在の通信用セルラーアンテナは、４バンド（８００Ｍ、１．５Ｇ、１．７Ｇ、２Ｇ帯）システムへの対応が必要となっている。携帯電話の薄型化が進む中で、４バンドシステムの周波数帯に対応した複数のアンテナを小さい携帯電話に全て搭載することはできない。したがって、複数の周波数帯に対応したマルチバンド広帯域アンテナが必要となっている。
【０００４】
このような携帯無線端末において、例えば図１４に示すように、携帯無線端末１０００のヒンジ部１００１の軸を構成する金属回転軸１００２をアンテナとして動作させる構成が知られている。図１４において、第１筐体１００３と第２筐体１００４とを開閉可能に連結するヒンジ部１００１の軸は一般的な小径の金属回転軸１００２で構成される。第１回路基板１００５は、整合回路１００７に接続された無線回路１００８を搭載し、第１筐体１００３に設置される。第２回路基板１００６は第２筐体１００４に設置され、信号線１００９を介して第１回路基板１００５と接続される。金属回転軸１００２は、接点バネ１０１０を介して整合回路１００７に接続される。
【０００５】
この構成により、金属回転軸１００２をアンテナとして動作させることができるため、アンテナ専用素子を削除でき、携帯無線端末の小型化を実現できる。
【０００６】
また、同様の携帯無線端末において、例えば特許文献１に記載されているように、図１５では、金属回転軸１１０２が自力で回動する回転力を発生する機構を有しており、一端部を押圧すると金属回転軸１１０２が自力で回動し第１筐体１００３と第２筐体１００４とが開く構造となっているため、一般的な金属回転軸より径が大きい構成となっている。
【０００７】
この構成により、アンテナとして動作する金属回転軸１１０２の径が大きいため、小径の金属回転軸１００２と比較して広帯域なアンテナを実現できる。
【０００８】
また、特許文献２に記載されている構成によると、無給電素子を追加することで筐体閉じ状態にてアンテナ性能を高利得化、広帯域化することができる。
【先行技術文献】
【特許文献】
【０００９】
【特許文献１】特開２００７―８８６９２号公報
【特許文献２】国際公開第２００７／０３２３３０号
【発明の概要】
【発明が解決しようとする課題】
【００１０】
しかしながら、図１４に示す前記従来の構成では、金属回転軸１００２をアンテナとして動作させており、金属回転軸１００２の部品としての構成が決まっているため、寸法等のアンテナ設計自由度が低いという課題があった。
【００１１】
また、特許文献１記載の従来構成では、上記課題に加えて、金属回転軸１１０２を構成する金属の体積が大きいため、質量が重く、高コストという課題があった。
【００１２】
本発明は、上記課題を解決するために、ヒンジ部の軸を構成している小径の金属回転軸をアンテナとして動作させる構成であって、金属回転軸と回転中心が同一で金属回転軸と比較して径が大きい略円筒形状のリング導体を、金属回転軸と接触または容量結合させるよう構成する。これにより、金属回転軸の径を大きくすることなく等価的に径を大きくでき、軽量、低コストで広帯域なアンテナ装置及びこれを搭載した携帯無線端末を提供するものである。
【００１３】
また、特許文献２記載の従来構成では、低い周波数帯（例えば800M帯）は無給電素子の電気長が足りないため改善できない。また、無給電素子をヒンジ金属部とヒンジケース部の間に配置する必要があり具現化構造が複雑な構成となる、という課題があった。
【００１４】
本発明は、上記課題を解決するために、筐体が閉じた状態におけるリング導体と第1筐体内の基板グランドパターンの間隔が、筐体が開いた状態におけるリング導体と第1筐体内の基板グランドパターンの間隔よりも大きくなるよう構成する。
【００１５】
これにより筐体を閉じた状態におけるアンテナ性能を高利得化、広帯域化できるアンテナ装置及びこれを搭載した携帯無線端末を提供するものである。
【課題を解決するための手段】
【００１６】
本発明のアンテナ装置及びこれを搭載した携帯無線端末は、第１筐体と、第２筐体と、前記第１筐体と前記第２筐体とを回転可能に連結するヒンジ部とを有する携帯無線端末であって、前記ヒンジ部に設けられ、前記ヒンジ部の回転中心を構成する金属回転軸と、前記金属回転軸の前記回転中心と略同一で、前記金属回転軸より直径が大きい略円筒形状のリング導体と、前記金属回転軸に給電を行う給電部とを備え、前記金属回転軸は、互いに回動する略円筒形状または略円柱形状の第１部材と第２部材とが連結されて構成され、前記第１部材は前記第１筐体に、前記第２部材は前記第２筐体にそれぞれ機械的に固定され、前記給電部は、前記第一筐体に配置された無線回路と、前記金属回転軸とを電気的に接続し、前記リング導体は、前記第２筐体に機械的に固定され、前記金属回転軸と接触または容量結合される構成を有する。
【００１７】
この構成により、軽量、低コストで設計自由度が高い広帯域なアンテナを実現することができる。
【００１８】
また、本発明のアンテナ装置及びこれを搭載した携帯無線端末は、前記リング導体が第１リング導体と第２リング導体とがトラップ回路を介して接続されて構成され、第１リング導体は、前記金属回転軸と接触または容量結合させた構成を有する。
【００１９】
この構成により、アンテナを２共振で動作させることができ、より広帯域なアンテナ特性を実現できる。
【００２０】
また、本発明のアンテナ装置及びこれを搭載した携帯無線端末は、前記第１リング導体と前記第２リング導体とが機械的な構造でトラップ回路を構成する。
【００２１】
この構成により、アンテナを２共振で動作させることができ、広帯域なアンテナ特性を実現できる。
【００２２】
また、本発明のアンテナ装置及びこれを搭載した携帯無線端末は、前記リング導体の端面が略C形状であり、筐体が閉じた状態におけるリング導体と第1筐体内の基板グランドパターンの間隔が、筐体が開いた状態におけるリング導体と第1筐体内の基板グランドパターンの間隔よりも大きくなる構成を有する。
【００２３】
この構成により、筐体閉じ状態において高利得、広帯域なアンテナを実現することができる。
【発明の効果】
【００２４】
本発明のアンテナ装置及びこれを搭載した携帯無線端末は、第１筐体と、第２筐体と、前記第１筐体と前記第２筐体とを回転可能に連結するヒンジ部とを有する携帯無線端末であって、前記ヒンジ部に設けられ、前記ヒンジ部の回転中心を構成する金属回転軸と、前記金属回転軸の前記回転中心と略同一で、前記金属回転軸より直径が大きい略円筒形状のリング導体と、前記金属回転軸に給電を行う給電部とを備え、前記金属回転軸は、互いに回動する略円筒形状または略円柱形状の第１部材と第２部材とが連結されて構成され、前記第１部材は前記第１筐体に、前記第２部材は前記第２筐体にそれぞれ機械的に固定され、前記給電部は、前記第一筐体に配置された無縁回路と、前記金属回転軸とを電気的に接続し、前記リング導体は、前記第２筐体に機械的に固定され、前記金属回転軸と接触または容量結合される構成を有する。
この構成により、軽量、低コストで設計自由度が高い広帯域なアンテナを実現することができる。
【図面の簡単な説明】
【００２５】
【図１】本発明の実施の形態１における携帯無線端末の正面図
【図２】本発明の実施の形態１における携帯無線端末のヒンジ部の拡大断面図
【図３】本発明の実施の形態１におけるＣリング導体の直径に対するアンテナ特性図
【図４】本発明の実施の形態１における携帯電話端末のヒンジ部の拡大正面図
【図５】本発明の実施の形態２における携帯無線端末のヒンジ部の拡大正面図
【図６】本発明の実施の形態２におけるアンテナの電流分布図
【図７】本発明の実施の形態２におけるトラップ回路の周波数特性
【図８】本発明の実施の形態２における携帯無線端末のヒンジ部の拡大正面図
【図９】本発明の実施の形態２における携帯無線端末のヒンジ部の拡大正面図
【図１０】本発明の実施の形態３における携帯無線端末（筐体開き状態）を示す図
【図１１】本発明の実施の形態３における携帯無線端末（筐体閉じ状態）を示す図
【図１２】本発明の実施の形態３における携帯無線端末（筐体開き状態）を示す図
【図１３】本発明の実施の形態３における携帯無線端末（筐体閉じ状態）を示す図
【図１４】従来の小径金属回転軸をアンテナとした携帯無線端末の正面図
【図１５】従来の径の大きな金属回転軸をアンテナとした携帯無線端末の正面図
【発明を実施するための形態】
【００２６】
以下に、本発明の実施の形態について、図面を参照しながら説明する。
（実施の形態１）
図１は、本発明の実施の形態１における携帯無線端末の正面図、図２、図４は、本発明の実施の形態１における携帯無線端末のヒンジ部の拡大断面図、図３は本発明の実施の形態１におけるＣリング導体の直径に対するアンテナ特性図である。図１〜図４において、図１４、図１５と同じ構成については同じ符号を用い、説明を省略する。
【００２７】
図１に示すように、携帯無線端末１００のヒンジ部１００１は、第１筐体１００３の端部の略円筒形状の第１樹脂部１０３及び第３樹脂部１０５に、第２筐体１００４の端部の略円筒形状の第２樹脂部１０４が回動可能に結合され、それぞれの結合部が回動部となる構造を持ち、内部にヒンジ部１００１の軸を構成する金属回転軸１００２が設置されている。金属回転軸１００２は、略円筒形状または略円柱形状に形成され、互いに回動する第２筐体１００４の第２樹脂部１０４と、第１筐体１００３の第１樹脂部１０３とが機械的に連結接続された構造を有する。
【００２８】
図１及び図２に示すように、Ｃリング導体１０１は、断面がＣ字形状で、金属回転軸１００２と比較して径が大きい略円筒形状で形成され、金属回転軸１００２と回転中心が同一となるように第２樹脂部１０４の内部に配置され、第２樹脂部１０４において金属回転軸１００２と接続または容量結合させる構成にする。信号線１００９は、一方が第１回路基板１００５に接続され、もう一方は、第３樹脂部１０５、第２樹脂部１０４内のＣリング導体１０１の内側を経由して、Ｃ字形状の環の開いている部分を通って、第２回路基板１００６に接続される。
【００２９】
Ｃリング導体１０１と第２回路基板１００６との長さ方向の距離Ｄ２は使用する周波数帯において０．０２９波長以上となるように構成する。
【００３０】
また、Ｃリング導体１０１は例えば直径Ｄ１が７ｍｍ（１．４５ＧＨｚにおける０．０３３波長）程度、長さＬが２５ｍｍ（１．４５ＧＨｚにおける０．１２波長）程度で構成され、金属回転軸１００２は例えば直径が２ｍｍ（１．４５ＧＨｚ帯における０．００１波長）程度、長さ１５ｍｍ（１．４５ＧＨｚにおける０．０７波長）で、金属回転軸１００２とＣリング導体１０１は７ｍｍ程度重なって構成される。
【００３１】
このように構成された携帯無線端末１００のアンテナ動作を説明する。前述したように金属回転軸１００２と比較して径の大きなＣリング導体１０１を、金属回転軸１００２と接続または容量結合させることによって、アンテナ電流が金属回転軸１００２に加えてＣリング導体１０１にも分布し、アンテナとして動作する体積を等価的に大きくすることができる。図３は、前述の条件でＣリング導体１０１の直径Ｄ１を変化した場合の、共振周波数ｆ０及び比帯域幅Δｆ／ｆ０の変化特性を示したものである。Ｃリング導体１０１の直径Ｄ１が大きくなるにつれて、共振周波数ｆ０が低くなり、その比帯域幅Δｆ／ｆ０も広くなる傾向わかる。Ｃリング導体１０１の長さＬと金属回転軸１００２の重なる部分及び接点バネ１０１０を含めた長さは４０ｍｍ（１．８５ＧＨｚにおける０．２５波長）であるため、Ｄ１が２ｍｍと細い場合には、１．８５ＧＨｚで自己共振し、その比帯域幅は１７％と狭くなっている。一方、Ｄ１が７ｍｍとした場合では、共振周波数ｆ０が１．４５ＧＨｚに下がると共に、比帯域５０％となり、Ｃリング導体１０１が無い場合（Ｃリング導体１０１が金属回転軸１００２と同一の直径の場合）と比較して広帯域なアンテナ特性を実現できる。
【００３２】
このように本実施の形態１によれば、金属回転軸１００２より径が大きい略円筒形状のＣリング導体１０１を、アンテナとして動作する金属回転軸１００２と接続または容量結合させる構成にすることによって、金属回転軸１００２に加えてＣリング導体１０１にもアンテナ電流が分布し、Ｃリング導体１０１が無い場合と比較して広帯域なアンテナ特性を実現できる。また、金属回転軸１００２の径をＣリング導体１０１と同等に構成した場合の帯域幅を保ちつつ、軽量で低コストなアンテナを実現できる。
【００３３】
なお、本実施の形態では、Ｃリング導体１０１のＣ字形状の環は、携帯無線端末１００の幅方向に対して全て開いているが、信号線１００９が通るだけのスペースを確保できていれば、全て開いていなくても良い。
【００３４】
なお、Ｃリング導体１０１を図４に示すように螺旋形状あるいはミアンダ形状で構成しても良い。この構成により、Ｃリング導体１０１を同体積のまま、導体長を長くすることができるため、共振周波数の低周波化が可能となる。
（実施の形態２）
図５は、本発明の実施の形態２における携帯無線端末のヒンジ部の拡大正面図、図６は、本発明の実施の形態２におけるアンテナの電流分布図、図７は、本発明の実施の形態２におけるトラップ回路の周波数特性、図８、図９は、本発明の実施の形態２における携帯無線端末のヒンジ部の拡大正面図である。
【００３５】
図５〜図９において、図１〜図４、図１４、図１５と同じ構成については同じ符号を用い、説明を省略する。
【００３６】
図５、図６に示すように、Ｃリング導体を第１Ｃリング導体５０１及び第２Ｃリング導体５０２の２つに分割し、それぞれ第２樹脂部１０４内の第１樹脂部１０３側及び第３樹脂部１０５側に配置する。第１Ｃリング導体５０１は第２樹脂部１０４において金属回転軸１００２と接続または容量結合させ、第１Ｃリング導体５０１と第２Ｃリング導体５０２はトラップ回路５０３を介して接続される。トラップ回路５０３は、図７に示すように、第１周波数帯を遮断し、第１周波数帯より低い第２周波数帯を通過するよう構成する。
【００３７】
このように構成された携帯無線端末のアンテナ動作を説明する。上述したように、第１Ｃリング導体５０１と第２Ｃリング導体５０２の間に、第２周波数帯を通過し第１周波数帯を遮断するトラップ回路５０３を設けることで、接点バネ１０１０、金属回転軸１００２、第１Ｃリング導体５０１に第１周波数帯電流６０１が分布し、接点バネ１０１０、金属回転軸１００２、第１Ｃリング導体５０１、第２Ｃリング導体５０２に第２周波数帯電流６０２が分布する。これによりアンテナを２共振で動作させることができ、広帯域なアンテナ特性を実現できる。
【００３８】
具体的には、第１Ｃリング導体５０１及び第２Ｃリング導体５０２の直径を、例えば共に７ｍｍ程度で構成し、第１Ｃリング導体５０１の長さを１８ｍｍ（２ＧＨｚにおける０．１２波長）程度、第２Ｃリング導体５０２の長さを７ｍｍ程度で構成し、第１Ｃリング導体５０１の長さと合わせて２５ｍｍ（１．４５ＧＨｚにおける０．１２波長）程度とする。トラップ回路５０３は、例えばキャパシタンスが６ｐＦ程度、リアクタンスが１ｎＨ程度のＬＣトラップ回路で構成する。このような構成とすることで、トラップ回路５０３は第１周波数帯に対応する２ＧＨｚ帯を遮断し、第２周波数帯に対応する１．４５ＧＨｚ帯を通過することができるため、アンテナを２共振で動作させることができ、広帯域なアンテナ特性を実現できる。
【００３９】
このように本実施の形態２によれば、Ｃリング導体を２つに分割し、間にトラップ回路５０３を設けることで、アンテナを２共振で動作でき、広帯域なアンテナ特性を実現できる。
【００４０】
なお、本実施の形態では、トラップ回路５０３を設けることでアンテナを２共振で動作させているが、図８に示すように、第１Ｃリング導体５０１と第２Ｃリング導体５０２の間に構造的に間隙を設けてキャパシタンスを構成するとともに、部分的に接点を設けてインダクタンスを構成することで、第１周波数帯を遮断し第２周波数帯を通過させるトラップ回路を構成しても良い。この構成により、集中定数によるトラップ回路５０３を用いることなく２共振アンテナを実現でき、コストダウンが可能となる。
【００４１】
なお、本実施の形態では、第１Ｃリング導体５０１及び第２Ｃリング導体５０２のＣ字形状の環は、携帯無線端末１００の幅方向に対して全て開いているが、実施の形態１と同様に、信号線１００９が通るだけのスペースを確保できていれば、全て開いていなくても良い。
【００４２】
なお、図９に示すように、第１Ｃリング導体５０１と第２Ｃリング導体５０２のうち、少なくとも１つのリング導体を螺旋状あるいはミアンダ形状で構成しても良い。
【００４３】
（実施の形態３）
図１０は、本発明の実施の形態３における携帯無線端末の正面図、図１１は本発明の実施の形態３における携帯無線端末のヒンジ部の拡大断面図である。図１０〜図１１において、図６、図７と同じ構成については同じ符号を用い、説明を省略する。
【００４４】
図１０に示すように、携帯無線端末１００のヒンジ部１００１は、第１筐体１００３の端部の略円筒形状の第１樹脂部１０３及び第３樹脂部１０５に、第２筐体１００４の端部の略円筒形状の第２樹脂部１０４が回動可能に結合され、それぞれの結合部が回動部となる構造を持ち、内部にヒンジ部１００１の軸を構成する金属回転軸１００２が設置されている。金属回転軸１００２は、略円筒形状または略円柱形状に形成され、互いに回動する第２筐体１００４の第２樹脂部１０４と、第１筐体１００３の第１樹脂部１０３とが機械的に連結接続された構造を有する。
【００４５】
図１０及び図１１に示すように、Ｃリング導体１０１は、断面がＣ字形状で、金属回転軸１００２と比較して径が大きい略円筒形状で形成され、金属回転軸１００２と回転中心が同一となるように第２樹脂部１０４の内部に配置され、第２樹脂部１０４において金属回転軸１００２と接続または容量結合させる構成にする。信号線１００９は、一方が第１回路基板１００５に接続され、もう一方は、第３樹脂部１０５、第２樹脂部１０４の内側を経由して、第２回路基板１００６に接続される。
【００４６】
Ｃリング導体１０１と第２回路基板１００６との長さ方向の距離Ｄ２は使用する周波数帯において０．０２９波長以上となるように構成する。
【００４７】
また、Ｃリング導体１０１は例えば直径Ｄ１が７ｍｍ（１．４５ＧＨｚにおける０．０３３波長）程度、長さＬが２０ｍｍ（１．４５ＧＨｚにおける０．１波長）程度で構成され、金属回転軸１００２は例えば直径が２ｍｍ（１．４５ＧＨｚ帯における０．００１波長）程度、長さ１５ｍｍ（１．４５ＧＨｚにおける０．０７波長）で、金属回転軸１００２とＣリング導体１０１は７ｍｍ程度重なって構成される。
【００４８】
また、図１１に示すように、Ｃリング導体の環の開いた部分は、筐体閉じ状態において第１筐体１００３内部の第１回路基板１００５、および第２筐体１００４内部の第２回路基板と近い側に向けられ、Ｃリング導体に環の開きが無く円筒形状の場合のＣリング導体と回路基板の距離をＤ２、Ｃリング導体と回路基板の距離をＤ３とすると、Ｄ３＞Ｄ２の関係となるように構成される。
【００４９】
このように構成された携帯無線端末１００のアンテナ動作を説明する。前述したように金属回転軸１００２と比較して径の大きなＣリング導体１０１を、金属回転軸１００２と接続または容量結合させることによって、アンテナ電流が金属回転軸１００２に加えてＣリング導体１０１にも分布し、アンテナとして動作する体積を等価的に大きくすることができる。図３は、前述の条件でＣリング導体１０１の直径Ｄ１を変化した場合の、共振周波数ｆ０及び比帯域幅Δｆ／ｆ０の変化特性を示したものである。Ｃリング導体１０１の直径Ｄ１が大きくなるにつれて、共振周波数ｆ０が低くなり、その比帯域幅Δｆ／ｆ０も広くなる傾向わかる。Ｃリング導体１０１の長さＬと金属回転軸１００２の重なる部分及び接点バネ１０１０を含めた長さは４０ｍｍ（１．８５ＧＨｚにおける０．２５波長）であるため、Ｄ１が２ｍｍと細い場合には、１．８５ＧＨｚで自己共振し、その比帯域幅は１７％と狭くなっている。一方、Ｄ１が７ｍｍとした場合では、共振周波数ｆ０が１．４５ＧＨｚに下がると共に、比帯域５０％となり、Ｃリング導体１０１が無い場合（Ｃリング導体１０１が金属回転軸１００２と同一の直径の場合）と比較して広帯域なアンテナ特性を実現できる。
【００５０】
また、Ｃリング導体の環の開いた部分が、筐体閉じ状態において、第1回路基板１００５、および第2回路基板１００４との距離がＤ２＞Ｄ３の関係となることで、
第1回路基板および第2回路基板のグランドパターンとの距離が大きくなり、アンテナの放射抵抗が高くなり、筐体閉じ状態のアンテナ性能の高利得化、広帯域化が可能である。
【００５１】
このように本実施の形態３によれば、金属回転軸１００２より径が大きい略円筒形状のＣリング導体１０１を、アンテナとして動作する金属回転軸１００２と接続または容量結合させる構成にすることによって、金属回転軸１００２に加えてＣリング導体１０１にもアンテナ電流が分布し、Ｃリング導体１０１が無い場合と比較して広帯域なアンテナ特性を実現できる。また、金属回転軸１００２の径をＣリング導体１０１と同等に構成した場合の帯域幅を保ちつつ、軽量で低コストなアンテナを実現できる。
【００５２】
また、Ｃリング導体の環の開いた部分が、筐体閉じ状態において、第1回路基板１００５、および第2回路基板１００４との距離がＤ２＞Ｄ３の関係となることで、
第1回路基板および第2回路基板のグランドパターンとの距離が大きくなり、アンテナの放射抵抗が高くなり、筐体閉じ状態のアンテナ性能の高利得化、広帯域化が可能である。
【００５３】
なお、図１２、図１３に示すように、Ｃリング導体の代わりに半円筒状の金属を用いることによっても同等の効果を得ることができる。
【産業上の利用可能性】
【００５４】
本発明のアンテナ装置及びこれを搭載した携帯無線端末は、第１筐体と、第２筐体と、前記第１筐体と前記第２筐体とを回転可能に連結するヒンジ部とを有する携帯無線端末であって、前記ヒンジ部に設けられ、前記ヒンジ部の回転中心を構成する金属回転軸と、前記金属回転軸の前記回転中心と略同一で、前記金属回転軸より直径が大きい略円筒形状のリング導体と、前記金属回転軸に給電を行う給電部とを備え、前記金属回転軸は、互いに回動する略円筒形状または略円柱形状の第１部材と第２部材とが連結されて構成され、前記第１部材は前記第１筐体に、前記第２部材は前記第２筐体にそれぞれ機械的に固定され、前記給電部は、前記第一筐体に配置された無線回路と、前記金属回転軸とを電気的に接続し、前記リング導体は、前記第２筐体に機械的に固定され、前記金属回転軸と接触または容量結合される構成を有する。この構成により、軽量、低コストで設計自由度が高い広帯域なアンテナを実現することができ、アンテナ装置及びこれを搭載した携帯無線端末の軽量化、低コスト化に有用である。
【符号の説明】
【００５５】
１００    携帯無線端末
１０１    Ｃリング導体
１０２    回転中心
１０３    第１樹脂部
１０４    第２樹脂部
１０５    第３樹脂部
５０１    第１Ｃリング導体
５０２    第２Ｃリング導体
５０３    トラップ回路
６０１    第１周波数帯電流
６０２    第２周波数帯電流
【図１】
2011019211.tif 000003
【図２】
2011019211.tif 000004
【図３】
2011019211.tif 000005
【図４】
2011019211.tif 000006
【図５】
2011019211.tif 000007
【図６】
2011019211.tif 000008
【図７】
2011019211.tif 000009
【図８】
2011019211.tif 000010
【図９】
2011019211.tif 000011
【図１０】
2011019211.tif 000012
【図１１】
2011019211.tif 000013
【図１２】
2011019211.tif 000014
【図１３】
2011019211.tif 000015
【図１４】
2011019211.tif 000016
【図１５】
2011019211.tif 000017